(57)【要約】【課題】バッテリーの電源を本体に安定的に供給し得るだけではなく、製造工程及び製造コストを低減し得るバッテリー接触装置及びこれを備える携帯端末機を提供する。【解決手段】バッテリー接触装置は、その内部にプリント基板を有し、その一側面にバッテリー収容部を有する本体と、前記バッテリー収容部に着脱可能に結合されるバッテリーと、前記バッテリー収容部から突出した絶縁性弾性体、及びその端部が前記絶縁性弾性体から露出するように前記絶縁性弾性体の内部に装着される柔軟な導体から構成され、バッテリー電源を前記本体に供給する少なくとも１つの連結ユニットとを含む。【選択図】図１
2006108103.tif 000002
【特許請求の範囲】
【請求項１】
その内部にプリント基板を有し、その一側面にバッテリー収容部を有する本体と、
前記バッテリー収容部に着脱可能に結合されるバッテリーと、
前記バッテリー収容部から突出した絶縁性弾性体、及びその端部が前記絶縁性弾性体から露出するように前記絶縁性弾性体の内部に装着される柔軟な導体から構成され、バッテリー電源を前記本体に供給する少なくとも１つの連結ユニットと、
を含むことを特徴とするバッテリー接触装置。
【請求項２】
前記絶縁性弾性体が、前記本体のバッテリー収容部の内部に形成された接触ホールに挿入されることを特徴とする請求項１に記載のバッテリー接触装置。
【請求項３】
前記接触ホールに、前記絶縁性弾性体が前記接触ホールから離脱することを防止するための保持溝が備えられることを特徴とする請求項２に記載のバッテリー接触装置。
【請求項４】
前記絶縁性弾性体が、シリンダ、プリズム、円錐台、四角錐台、又は半球形状であることを特徴とする請求項１に記載のバッテリー接触装置。
【請求項５】
前記絶縁性弾性体に、前記接触ホールの保持溝に合うように、保持突起が一体に形成されることを特徴とする請求項４に記載のバッテリー接触装置。
【請求項６】
前記柔軟な導体の一端部がバッテリーターミナルに接触するように前記絶縁性弾性体の上側面に露出し、他端部が前記プリント基板に接触することを特徴とする請求項１に記載のバッテリー接触装置。
【請求項７】
前記絶縁性弾性体が、シリコン又はゴムで形成されることを特徴とする請求項１に記載のバッテリー接触装置。
【請求項８】
その内部にプリント基板を有し、その一側面にバッテリー収容部を有する本体と、
前記バッテリー収容部に着脱可能に結合されるバッテリーと、
前記バッテリー収容部から突出した絶縁性弾性体、及びその端部が前記絶縁性弾性体から露出するように前記絶縁性弾性体の内部に装着される柔軟な導体から構成され、バッテリー電源を前記本体に供給する少なくとも１つの連結ユニットと、
を含むことを特徴とする携帯端末機。
【請求項９】
前記絶縁性弾性体が、前記本体のバッテリー収容部の内部に形成された接触ホールに挿入されることを特徴とする請求項８に記載の携帯端末機。
【請求項１０】
前記接触ホールに、前記絶縁性弾性体が前記接触ホールから離脱することを防止するための保持溝が備えられることを特徴とする請求項９に記載の携帯端末機。
【請求項１１】
前記絶縁性弾性体が、シリンダ、プリズム、円錐台、四角錐台、又は半球形状であることを特徴とする請求項８に記載の携帯端末機。
【請求項１２】
前記絶縁性弾性体に、前記接触ホールの保持溝に合うように、保持突起が一体に形成されることを特徴とする請求項１１に記載の携帯端末機。
【請求項１３】
前記柔軟な導体の一端部がバッテリーターミナルに接触するように前記絶縁性弾性体の上側面に露出し、他端部が前記プリント基板に接触することを特徴とする請求項８に記載の携帯端末機。
【請求項１４】
前記絶縁性弾性体が、シリコン又はゴムで形成されることを特徴とする請求項８に記載の携帯端末機。
【発明の詳細な説明】
【技術分野】
【０００１】
本発明は、移動通信端末機に関し、詳しくは、移動通信端末機の本体とバッテリーとを接続してバッテリーの電源を本体に安定的に供給し得るだけではなく、製造工程及び製造コストを低減し得るバッテリー接触装置及びこれを備える携帯端末機に関するものである。
【背景技術】
【０００２】
一般に、移動通信端末機は、使用者が簡単に所持し、どこでも相手と送受信し得る通信機器である。最近、このような移動通信端末機は、単純な音声送受信機能の他にも映像情報を送受信する機能が付加された端末機が多く開発されている。
【０００３】
前記のような移動通信端末機は、バッテリーが装着されて電力を供給するため、使用者が電源から有線により電力を供給する必要が無くなり携帯が可能になった。このように、本体とバッテリーとを接続させるために両側に端子が形成されて相互に接続されなければならない。しかし、移動通信端末機を落としたりぶつけたりするなど、移動通信端末機が衝撃を受けた場合は、両端子間の連結が切れて移動通信端末機の電源が切れるなどの問題が発生することもある。
【０００４】
このような従来の移動通信端末機の第１実施形態を図５及び６に図示した。図５は、従来の移動通信端末機のバッテリーを分離して図示した斜視図で、図６は、図５のA-A 線断面図である。
【０００５】
従来の移動通信端末機は、図５及び図６に示したように、本体１０と、該本体１０に着脱可能に装着されて、該本体に電源を供給するバッテリー２０と、前記本体１０と前記バッテリー２０とを接続する端子部３０と、を含んでいた。
【０００６】
また、前記本体１０は、その内部に装着されて通信に必要な回路部品が装着されたプリント基板（printed  circuit  board；ＰＣＢ）１４と、前記バッテリー２０が装着され得る収容空間が形成されたバッテリー収容部１１と、前記本体１０の外部に回動可能に結合されてディスプレイ（図示せず）が備えられたホルダー１２と、一方側に備えられて電波を送受信するアンテナ１３と、を含む。
【０００７】
また、前記ＰＣＢ１４は、端子部３０を通じて前記バッテリー２０と接続されて電力の供給を受けるが、これに関する詳細な事項は後述する。
【０００８】
また、前記バッテリー収容部１１には、前記バッテリー２０に形成された板型の金属端子３６に対応する位置に形成され、該金属端子３６との接触により電力を供給する接点端子３１が突出形成されている。
【０００９】
そして、前記バッテリー収容部１１は、前記バッテリー２０を堅固に前記本体１０に固定し得るように前記バッテリー２０と対応する形状で周縁に沿って所定高さに突出形成された外郭４５を具備している。
【００１０】
また、該外郭４５の一方側の中央には、前記バッテリー２０に形成された結合溝４２に一部挿入される結合突起４１が備えられていて、前記外郭４５の他方側の両側には、前記バッテリー２０の固定突起４３が挿入されて前記バッテリー２０の下段を固定するように所定深さに陥没形成された固定溝４４を具備している。
【００１１】
また、前記結合突起４１は、前記バッテリー２０を前記本体１０に脱着する時に前記結合溝４２に挿入、離脱が容易にできるように、スプリング（図示せず）によって弾性運動自在に前記本体１０に装着される。また、前記結合突起４１は、結合部材４０と一体に形成され、使用者が該結合部材４０を操作すると、前記結合突起４１が共に動くように構成される。
【００１２】
また、前記バッテリー２０は、前述したように、前記バッテリー収容部１１と接する前記バッテリー２０の一側面に板型の金属端子３６を具備する。また、前記バッテリー２０の一側面の中央に前記本体１０に形成された結合突起４１が挿入されて前記バッテリー２０を前記本体１０に結合し得るように所定深さを有する結合溝４２が具備され、前記バッテリー２０の下段面の両側には、該バッテリー２０の下段を前記本体１０に固定し得るように所定長さに突出形成されて、前記本体１０に形成された固定溝４４に挿入される固定突起４３が備えられる。
【００１３】
また、前記端子部３０は、図６に詳細に示したように、前記バッテリー収容部１１を成す本体１０の外郭ケースを貫通形成した端子収容孔３２に挿入された接点端子３１と、前記端子収容孔３２の一方側に円周の内側に突出形成されて、前記接点端子３１が離脱しないようにする係止突条３７と、前記接点端子３１の一方側に連結されて直線方向に弾性運動可能に支持する弾性スプリング３３と、を具備する。
【００１４】
また、前記接点端子３１には、一方側に円周の外側に突出形成されて、前記係止突条３７と接触する係止突起３４が形成されている。
【００１５】
また、前記弾性スプリング３３の下段は、はんだ付け部３５によって前記ＰＣＢ１４に固定されて、前記はんだ付け部３５は、前記ＰＣＢ１４のＰＣＢ接点部１５と連結されている。また、接点端子３１、弾性スプリング３３、はんだ付け部３５及びＰＣＢ接点部１５は、全部導電性の材質から成り、前記バッテリー２０の電力を供給するラインとして利用される。
【００１６】
以下、前記のように構成された従来の移動通信端末機のバッテリーと本体の接触構造について説明する。
【００１７】
前記バッテリー２０を前記本体１０に結合する時は、まず、前記バッテリー２０の一側面の両側に形成された固定突起４３を前記本体１０の固定溝４４に挿入して前記バッテリー２０の下段を固定する。次いで、前記バッテリー２０の背面を前記本体１０に密着させて前記バッテリー２０の一側面に形成された結合溝４２に前記結合部材４０の結合突起４１を挿入させる。
【００１８】
このように前記バッテリー２０を前記本体１０に結合すると、前記バッテリー２０の金属端子３６が前記端子部３０の接点端子３１を前記本体１０の内部に押さえることになる。この時、前記接点部３０の接点端子３１は、その下段に備えられた弾性スプリング３３によって前記本体１０の内部に挿入されて、前記金属端子３６と点接触状態を維持しながら接触する。従って、前記接点端子３１と前記金属端子３６の接触によって前記バッテリー２０の電力が前記本体１０に供給される。即ち、前記のような従来の移動通信端末機のバッテリー接触構造は、前記本体１０に装着された接点端子３１がスプリングによって弾力的に支持されて前記バッテリー２０に装着された板型の金属端子３６と点接触して電力を供給する構造である。
【発明の開示】
【発明が解決しようとする課題】
【００１９】
然るに、従来の移動通信端末機に衝撃が加わった時、前記本体１０に装着された接点端子３１が揺動によって金属端子３６から離脱して電源が遮断されるという不都合な点があった。これは、前記接点端子３１が前記弾性スプリング３３に連結されているため、該弾性スプリング３３の揺動が前記接点端子３１に伝わるために発生する問題点である。
【００２０】
また、前記接点端子３１は、前記ＰＣＢ接点部１５と連結するために、前記はんだ付け部３５を使用しなければならず、かつ前記弾性スプリング３３を利用して支持しなければならないため、製造工程が複雑になって製造コストが増加するという不都合な点があった。
【００２１】
本発明は、従来の問題点に鑑みて成されたもので、バッテリーの電源を本体に安定的に供給し得るだけではなく、製造工程及び製造コストを低減し得るバッテリー接触装置及びこれを備える携帯端末機を提供することを目的とする。
【課題を解決するための手段】
【００２２】
上記の目的を達成するために、本発明によるバッテリー接触装置は、その内部にプリント基板を有し、その一側面にバッテリー収容部を有する本体と、前記バッテリー収容部に着脱可能に結合されるバッテリーと、前記バッテリー収容部から突出した絶縁性弾性体、及びその端部が前記絶縁性弾性体から露出するように前記絶縁性弾性体の内部に装着される柔軟な導体から構成され、バッテリー電源を前記本体に供給する少なくとも１つの連結ユニットとを含むことを特徴とする。
【００２３】
上記目的を達成するために、本発明は、例えば、以下の手段を提供する。
（項目１）
その内部にプリント基板を有し、その一側面にバッテリー収容部を有する本体と、
前記バッテリー収容部に着脱可能に結合されるバッテリーと、
前記バッテリー収容部から突出した絶縁性弾性体、及びその端部が前記絶縁性弾性体から露出するように前記絶縁性弾性体の内部に装着される柔軟な導体から構成され、バッテリー電源を前記本体に供給する少なくとも１つの連結ユニットと、
を含むことを特徴とするバッテリー接触装置。
（項目２）
前記絶縁性弾性体が、前記本体のバッテリー収容部の内部に形成された接触ホールに挿入されることを特徴とする項目１に記載のバッテリー接触装置。
（項目３）
前記接触ホールに、前記絶縁性弾性体が前記接触ホールから離脱することを防止するための保持溝が備えられることを特徴とする項目２に記載のバッテリー接触装置。
（項目４）
前記絶縁性弾性体が、シリンダ、プリズム、円錐台、四角錐台、又は半球形状であることを特徴とする項目１に記載のバッテリー接触装置。
（項目５）
前記絶縁性弾性体に、前記接触ホールの保持溝に合うように、保持突起が一体に形成されることを特徴とする項目４に記載のバッテリー接触装置。
（項目６）
前記柔軟な導体の一端部がバッテリーターミナルに接触するように前記絶縁性弾性体の上側面に露出し、他端部が前記プリント基板に接触することを特徴とする項目１に記載のバッテリー接触装置。
（項目７）
前記絶縁性弾性体が、シリコン又はゴムで形成されることを特徴とする項目１に記載のバッテリー接触装置。
（項目８）
その内部にプリント基板を有し、その一側面にバッテリー収容部を有する本体と、
前記バッテリー収容部に着脱可能に結合されるバッテリーと、
前記バッテリー収容部から突出した絶縁性弾性体、及びその端部が前記絶縁性弾性体から露出するように前記絶縁性弾性体の内部に装着される柔軟な導体から構成され、バッテリー電源を前記本体に供給する少なくとも１つの連結ユニットと、
を含むことを特徴とする携帯端末機。
（項目９）
前記絶縁性弾性体が、前記本体のバッテリー収容部の内部に形成された接触ホールに挿入されることを特徴とする項目８に記載の携帯端末機。
（項目１０）
前記接触ホールに、前記絶縁性弾性体が前記接触ホールから離脱することを防止するための保持溝が備えられることを特徴とする項目９に記載の携帯端末機。
（項目１１）
前記絶縁性弾性体が、シリンダ、プリズム、円錐台、四角錐台、又は半球形状であることを特徴とする項目８に記載の携帯端末機。
（項目１２）
前記絶縁性弾性体に、前記接触ホールの保持溝に合うように、保持突起が一体に形成されることを特徴とする項目１１に記載の携帯端末機。
（項目１３）
前記柔軟な導体の一端部がバッテリーターミナルに接触するように前記絶縁性弾性体の上側面に露出し、他端部が前記プリント基板に接触することを特徴とする項目８に記載の携帯端末機。
（項目１４）
前記絶縁性弾性体が、シリコン又はゴムで形成されることを特徴とする項目８に記載の携帯端末機。
【発明の効果】
【００２４】
本発明は、移動通信端末機に衝撃が加わってもその材質自体が衝撃又は振動を抑制するダンパーの役割をするだけではなく、両側面が弾性体収容孔３２０により支持されるため、前記バッテリー２００の金属端子３６０と安定した接触を維持し得るという効果がある。従って、電源が遮断される現象を防止し得るだけではなく、従来の端子ははんだ付け過程を経なくてはならないが、本発明は、弾性体３１０を前記本体１００に形成された弾性体収容孔３２０に挿入する構造であるため、製造工程が単純になり、はんだ付けによる問題点を解決し得るだけではなく、コストを低減し得るという効果がある。
【発明を実施するための最良の形態】
【００２５】
以下、添付された図面を用いて本発明による移動通信端末機の実施形態について説明する。
【００２６】
図１は、本発明による移動通信端末機のバッテリーを分離して示した斜視図で、図２は、図１のB-B 線断面図である。
【００２７】
本発明によるバッテリー接触装置及びこれを備える携帯端末機においては、図１及び図２に示したように、内部にプリント基板１４０を具備し、外部の一側面にバッテリー収容部１１０を具備した本体１００と、前記バッテリー収容部１１０に脱着可能に収容されるバッテリー２００と、から構成された移動通信端末機において、前記バッテリー収容部１１０に突出形成されて弾性的に収縮/膨脹する弾性体３１０で形成されて、その内部に導電性のリード線３３０が備えられて、該リード線３３０の一方端が前記弾性体３１０の外部に露出するように装着されて、前記バッテリー２００の電源を前記本体１００に供給する連結ユニット３００を含む。
【００２８】
また、前記本体１００は、従来の技術と同様に、その内部に装着されて通信に必要な回路部品が装着されたプリント基板１４０と、前記バッテリー２００が装着され得る収容空間が形成されたバッテリー収容部１１０と、前記本体１００の外部に回動可能に結合されて、ディスプレイ（図示せず）が備えられたホルダー１２０と、一方側に備えられて電波を送受信するアンテナ１３０と、を含んでいる。
【００２９】
また、前記ＰＣＢ１４０は、連結ユニット３００を通じて前記バッテリー２００と接続されて電力の供給を受ける。
【００３０】
また、前記バッテリー収容部１１０には、前記バッテリー２００に形成された板型の金属端子３６０に対応する位置に形成されて、該金属端子３６０との接触により電力を供給する弾性体３１０が突出形成されている。ここで、該弾性体３１０は、前記金属端子３６０と同数で形成されることが好ましい。
【００３１】
そして、前記バッテリー収容部１１０は、前記バッテリー２００を堅固に前記本体１００に固定し得るように前記バッテリー２００と対応する形状で周縁に沿って所定高さに突出形成された外郭４５０を具備している。また、前記外郭４５０の一方側の中央には、前記バッテリー２００に形成された結合溝４２０に一部挿入される結合突起４１０が備えられていて、前記外郭４５０の他方側の両側には、前記バッテリー２００の固定突起４３０が挿入されて、前記バッテリー２００の下段を固定するように所定深さに陥没形成された固定溝４４０を具備していることも従来と同様である。
【００３２】
また、前記連結ユニット３００の中で、弾性体３１０は、図２に詳細に示したように、前記バッテリー収容部１１０を成す本体１００の外郭ケースを貫通形成した弾性体収容孔３２０に挿入される。かつ、前記弾性体３１０の内部に備えられて、その一方端が前記弾性体３１０の外部に露出するように装着されるリード線３３０を含んでいる。
【００３３】
また、前記弾性体収容孔３２０には、その一方側に円周の内側に突出形成され、前記弾性体３１０が離脱しないようにする係止突条３７０が形成される。また、これに対応するように前記弾性体３１０の一方側に円周の外側に突出形成されて前記係止突条３７０に係止される係止突起３４０が形成される。
【００３４】
また、前記連結ユニット３００は、本実施形態のように、前記本体１００の方に形成することもできるが、前記バッテリー２００の方に形成することもできて両側に形成することもできる。
【００３５】
また、前記弾性体３１０は、前記バッテリー２００が前記本体１００に結合されて前記弾性体３１０の上段面が押さえられると、該弾性体３１０が変形して前記弾性体収容孔３２０の内壁と完全に接触して前記バッテリー２００の金属端子３６０と安定した接触を維持するようにその側断面を台形に形成することが好ましい。また、前記弾性体３１０の側断面の形状は多様な多角形に構成することもできる。
【００３６】
また、前記弾性体３１０の側断面の形状は、前記バッテリー２００に近づくにつれてその幅が狭くなる円弧状に構成することもできる。
【００３７】
また、前記弾性体３１０は、弾性力を維持しながら自主的に衝撃を吸収し得るシリコン又はゴム材質で形成することが好ましい。
【００３８】
また、前記リード線３３０は、その一方端が前記弾性体３１０の上側の外部に露出して、前記バッテリー２００の金属端子３６０と接触するようにして、その他方端は、前記ＰＣＢ１４０の接点部１５０と接触している。
【００３９】
以下、本発明による移動通信端末機のバッテリーと本体の接触構造について説明する。
【００４０】
図３及び図４は、本発明によるバッテリーと本体の接触構造を示した断面図であって、図３は結合前の形態で、図４は結合後の形態である。
【００４１】
図３及び図４に示したように、前記弾性体３１０とバッテリー２００の金属端子３６０が接触する前は、前記弾性体３１０はその側断面が台形を維持したまま、下端が前記ＰＣＢ接点部１５０と接触して上端が外部に露出されたリード線３３０を内部に含んでいる。
【００４２】
また、前記バッテリー２００を前記本体１００に結合する時は、まず、前記バッテリー２００の下段に突出形成された固定突起４３０を前記本体１００の外郭４５０の一方側に形成された固定溝４４０に挿入して前記バッテリー２００の下段を固定した後、該バッテリー２００を前記本体１００の背面の方に傾けて徐々に接触させる。そうすると、前記バッテリー収容部１１０の一方側に突出形成された弾性体３１０が前記金属端子３６０と接触して前記弾性体３１０を徐々に押さえることになる。
【００４３】
次いで、前記金属端子３６０によって上段面が押さえられた前記弾性体３１０は、側面が前後、左右方向に膨脹し、前記弾性体収容孔３２０の内側壁と接触してその高さは低くなり、前記ＰＣＢ接点部１５０と下端が接触しているリード線３３０の上端が前記バッテリー２００の金属端子３６０と接触して図４の状態となる。
【００４４】
前記バッテリー２００を本体１００から分離すると、前記バッテリー２００の金属端子３６０が弾性体３１０から離脱すると同時に、該弾性体３１０は弾性を有するため、元来の台形に復元される。
【００４５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４６】
バッテリーの電源を本体に安定的に供給し得るだけではなく、製造工程及び製造コストを低減し得るバッテリー接触装置及びこれを備える携帯端末機を提供する。
【００４７】
バッテリー接触装置は、その内部にプリント基板を有し、その一側面にバッテリー収容部を有する本体と、前記バッテリー収容部に着脱可能に結合されるバッテリーと、前記バッテリー収容部から突出した絶縁性弾性体、及びその端部が前記絶縁性弾性体から露出するように前記絶縁性弾性体の内部に装着される柔軟な導体から構成され、バッテリー電源を前記本体に供給する少なくとも１つの連結ユニットとを含む。
【図面の簡単な説明】
【００４８】
【図１】本発明による移動通信端末機のバッテリーを分離して示した斜視図である。
【図２】図１のB-B線断面図である。
【図３】本発明によるバッテリーと本体の接触構造を示した断面図で、結合前の状態を示した図である。
【図４】本発明によるバッテリーと本体の接触構造を示した断面図で、結合後の状態を示した図である。
【図５】従来の移動通信端末機のバッテリーを分離して図示した斜視図である。
【図６】図５のA-A線断面図である。
【符号の説明】
【００４９】
１００:本体
２００：バッテリー
１４０:プリント基板
３１０:弾性体
３２０:弾性体収容孔
３６０:金属端子
【図１】
2006108103.tif 000003
【図２】
2006108103.tif 000004
【図３】
2006108103.tif 000005
【図４】
2006108103.tif 000006
【図５】
2006108103.tif 000007
【図６】
2006108103.tif 000008